(57)【要約】【課題】交換すべきがいしが交換前のがいしと同じ形式でなくても容易に取替え可能な、がいし用アダプタを提供する。【解決手段】がいし用アダプタ１００は、柱状本体１０及びフランジ１１，１２を有する。第１フランジ１１の面上には、柱状本体１０の中心軸Ｏを通る複数種類のがいしの取付径Ｒ１〜Ｒ４に対応して、所定数（４個）のボルト取付孔のセットが４セット（Ｈ１×４、Ｈ２×４、Ｈ３×４、Ｈ４×４）設けられている。第２フランジ１２の面上には、柱状本体１０の中心軸Ｏを通る複数種類のがいしの取付径Ｒ２〜Ｒ５に対応して、所定数（４個）のボルト取付孔のセットが４セット（Ｈ２×４、Ｈ３×４、Ｈ４×４、Ｈ５×４）設けられている。それぞれのボルト取付孔（Ｈ１〜Ｈ５）は、互いにがいしの取付径の動径方向に隣り合うことのないように配置されている。【選択図】図１
2014108019.tif 000002
【特許請求の範囲】
【請求項１】
柱状本体と、
前記柱状本体の一端に設けられた第１フランジと、
前記柱状本体の他端に設けられた第２フランジと、
前記柱状本体の中心を通る複数種類のがいしの取付径に対応して前記第１フランジの面上に複数セット設けられた所定数のボルト取付孔のセットと、
前記柱状本体の中心を通る複数種類のがいしの取付径に対応して前記第２フランジの面上に複数セット設けられた所定数のボルト取付孔のセットと、
を備え、
前記第１フランジ及び前記第２フランジの面上におけるボルト取付孔のセットそれぞれのボルト取付孔は、互いに前記複数種類のがいしの取付径の動径方向に隣り合うことのないように配置され、
前記第１フランジの面上の任意のボルト取付孔のセットそれぞれのボルト取付孔は、少なくとも第１のがいしの端部と接続可能なピッチと孔径を有し、
前記第２フランジの面上の任意のボルト取付孔のセットそれぞれのボルト取付孔は、少なくとも第１のがいしとは異なる第２のがいしの端部と接続可能なピッチと孔径を有する
がいし用アダプタ。
【請求項２】
前記第１フランジの面上及び前記第２フランジの面上における前記所定数のボルト取付孔のセットそれぞれは、接続を可能とする任意の一つのがいしに対応するすべてのボルト取付孔から選択的に抽出されたボルト取付孔を含む請求項１に記載のがいし用アダプタ。
【請求項３】
前記第１フランジの面上及び前記第２フランジの面上における前記所定数のボルト取付孔のセットそれぞれにおいては、前記第１フランジの面上及び前記第２フランジの面上で相互に同じピッチと孔径を有するボルト取付孔のセットと、相互に異なるピッチと孔径を有するボルト取付孔のセットとが混在する請求項１又は２に記載のがいし用アダプタ。
【請求項４】
前記第１フランジの面上及び前記第２フランジの面上における前記所定数のボルト取付孔のセットそれぞれのうちの少なくとも一つは、がいし以外の支持部材との接続が可能である請求項１から３のいずれか一つに記載のがいし用アダプタ。
【請求項５】
前記第１フランジ及び前記第２フランジそれぞれにおける前記柱状本体から周縁部までの距離は、前記柱状本体の一端と他端の間の距離よりも大きい請求項１から４いずれか一つに記載のがいし用アダプタ。
【発明の詳細な説明】
【技術分野】
【０００１】
本発明は、特に架空送電線路等に利用される、電線を支持するがいしに取り付けられるがいし用アダプタに関する。
【背景技術】
【０００２】
架空送電線路等に配設される電線は、鉄塔又は電柱に架設されている。電気の流れる電線と、鉄塔や電柱とを絶縁するために磁器製のがいしが用いられていることは一般に知られている。架空送電線間の距離を一定に保持するための相間スペーサとしても、がいしが用いられる。がいしには電線の重量や電線を張る力、風圧などの大きな力がかかる。支持する電線に対し、１個のがいしで強さが足らない場合には、がいしを２個以上並列に増加させ、また、電圧がより高ければ絶縁能力を高めるために、がいしを２個以上直列に連結する。
【０００３】
架空送電線路は、広範囲にわたる設備になり、地震などの大規模自然災害により、被害に遭遇する確率が高い。このような地震による被害において、がいしの破損が顕著になる場合が少なくない。例えば、懸垂がいし及び長幹がいし（長幹支持がいし）はそれぞれ、鉄塔に架設される電線の耐張がいし装置、ジャンパ支持装置として利用される。懸垂がいしは、電圧や汚損（又は破損）区分によって連結個数を変えることもでき、汎用性も高い。一方、長幹がいしは、複数の形式があり、単体で用いられることもあれば、２〜４個連結で用いられることもある。連結して用いられている複数の長幹がいしに関し、例えばその一つを交換する場合、交換しようとするがいしの連結部分が適合する形式（同じ形式のがいし）でなければ取り替えられない。
【０００４】
ところで、従来技術として、特許文献１には、地震などの異常振動によっても破損することのない長幹支持がいしの固定構造が示されている。その技術内容は、鉄塔のアームに固定された取付プレートと長幹支持がいしの端部プレートとを、端部プレートのボルト孔及び取付プレートのボルト孔に弾性部材を介在させたボルトを遊嵌して貫通させ、ナットで固定する構造である。
【先行技術文献】
【特許文献】
【０００５】
【特許文献１】特開２００５−２９５７８５号公報
【発明の概要】
【発明が解決しようとする課題】
【０００６】
上述のように、架空電線は、大地震など大規模自然災害により、被害が広範囲にわたる場合がある。大地震の場合、例えば長幹支持がいしは、特許文献１に示されている技術を用いていたとしても、破損に至ってしまうケースも十分考えられる。上述したように、連結して用いられている長幹がいしにおいて、例えばその一つを交換する場合、交換しようとするがいしの連結部分が、交換前のものと同じ形式でなければ直ちに取り替えられない。これにより、災害発生後に一時的にでも早急にライフラインの復旧を要する場合、架空送電線の設備の復旧が効率よく進められないという問題がある。
【０００７】
本発明は、上記事情に鑑みてなされたものであり、交換すべきがいしが交換前のがいしと同じ形式でなくても容易に取替え可能な、がいし用アダプタを提供することを目的とする。
【課題を解決するための手段】
【０００８】
本発明では、長幹がいし（又はＳＰがいし）が、例えばジャンパ支持装置として、連結して一方端が鉄塔側に固定され、振動の影響を受けやすいこと、及び、連結するための取付径、取付孔等、形式の異なるものが幾つかあることに着目し、災害等の破損等でがいしを緊急に交換する場合、必ずしも交換前と同じ形式のがいしの在庫があるとは限らないことを考慮し、以下のような解決手段を提供する。
【０００９】
（１）  柱状本体と、前記柱状本体の一端に設けられた第１フランジと、前記柱状本体の他端に設けられた第２フランジと、前記柱状本体の中心を通る複数種類のがいしの取付径に対応して前記第１フランジの面上に複数セット設けられた所定数のボルト取付孔のセットと、前記柱状本体の中心を通る複数種類のがいしの取付径に対応して前記第２フランジの面上に複数セット設けられた所定数のボルト取付孔のセットと、を備え、前記第１フランジ及び前記第２フランジの面上におけるボルト取付孔のセットそれぞれのボルト取付孔は、互いに前記複数種類のがいしの取付径の動径方向に隣り合うことのないように配置され、前記第１フランジの面上の任意のボルト取付孔のセットそれぞれのボルト取付孔は、少なくとも第１のがいしの端部と接続可能なピッチと孔径を有し、前記第２フランジの面上の任意のボルト取付孔のセットそれぞれのボルト取付孔は、少なくとも第１のがいしとは異なる第２のがいしの端部と接続可能なピッチと孔径を有する、がいし用アダプタ。
【００１０】
上記がいし用アダプタの構成によれば、柱状本体両端の第１、第２フランジ面上において、それぞれ少なくとも第１のがいし、第２のがいしが連結できるように各がいしの形式に適合する所定数のボルト取付孔のセットが複数設けられる。ボルト取付孔は、各フランジ面上において互いに複数種類の取付径の動径方向には隣り合わないように配置され、がいし用アダプタの強度が保たれるようになっている。
【００１１】
上記がいし用アダプタは、アダプタ自体の強度的な面に加え、取り付け作業や取り外し作業の効率についても考慮すると、任意のセットにおけるボルト取付孔の数は、安全性を保つことのできる必要最小限の個数であればよく、次の（２）のような特徴を有してもよい。
【００１２】
（２）  前記第１フランジの面上及び前記第２フランジの面上における前記所定数のボルト取付孔のセットそれぞれは、接続を可能とする任意の一つのがいしに対応するすべてのボルト取付孔から選択的に抽出されたボルト取付孔を含む。
【００１３】
上記がいし用アダプタは、前記第１フランジの面上及び前記第２フランジの面上のボルト取付孔それぞれにおいて、互いに異なる複数種類のがいしとの接続が可能なように、より有効利用できるように、また応用可能にするために、次の（３）、（４）のような特徴を有することが望ましい。
【００１４】
（３）  前記第１フランジの面上及び前記第２フランジの面上における前記所定数のボルト取付孔のセットそれぞれにおいては、前記第１フランジの面上及び前記第２フランジの面上で相互に同じピッチと孔径を有するボルト取付孔のセットと、相互に異なるピッチと孔径を有するボルト取付孔のセットとが混在する。
【００１５】
（４）  前記第１フランジの面上及び前記第２フランジの面上における前記所定数のボルト取付孔のセットそれぞれのうちの少なくとも一つは、がいし以外の支持部材との接続が可能である。
【００１６】
なお、上記がいし用アダプタの構成では、材料コストや軽量化の観点から、また、取付け時の最小限の占有領域に寄与するため、次の（５）のような特徴を有してもよい。なお、柱状本体の一端と他端の間の距離は最低でも、ボルト、ナットの締付けの作業性を損なわないような距離が望ましい。
【００１７】
（５）  前記第１フランジ及び前記第２フランジそれぞれにおける前記柱状本体から周縁部までの距離は、前記柱状本体の一端と他端の間の距離よりも大きい。
【発明の効果】
【００１８】
本発明によれば、がいしと連結されている、又はがいし以外の支持部材に取付けられている交換すべきがいしが、交換前のがいしと同じ形式でなくても容易に取替え可能な、がいし用アダプタを提供することができる。これにより、大地震など大規模災害の影響により、がいしの破損が多くなり、交換すべきがいしの在庫が不足しても、代替可能となるがいしの種類を増やすことができ、送電線路の早期の復旧に貢献することができる。
【図面の簡単な説明】
【００１９】
【図１】本発明の一実施形態によるがいし用アダプタの構成を示す概観図である。
【図２】本発明の一実施形態によるがいし用アダプタの仕様の一例を示す図である。
【図３】本発明の一実施形態によるがいし用アダプタの取付け例を示す概観図である。
【図４】本発明の一実施形態によるがいし用アダプタの取付け例を示す概観図である。
【発明を実施するための形態】
【００２０】
図１は、本発明の一実施形態によるがいし用アダプタの構成を示す概観図である。また、図２は、図１のがいし用アダプタの仕様の一例を示している。図２を参照しながら、図１の構成について説明する。
【００２１】
図１において、がいし用アダプタ１００（アダプタ１００とも称する）は、柱状本体１０及びフランジ１１，１２を有する。すなわち、柱状本体１０は、その一端に第１フランジ１１が設けられ、他端に第２フランジ１２が設けられている。ここで柱状本体１０は円筒形状であり、第１、第２フランジ１１，１２の周縁は円形状である。
【００２２】
第１フランジ１１の面上には、柱状本体１０の中心軸Ｏを通る複数種類のがいしの取付径Ｒ１〜Ｒ４に対応して、所定数（４個）のボルト取付孔のセットが４セット設けられている。すなわち、ボルト取付孔Ｈ１が取付径Ｒ１に沿って均等なピッチで４個設けられ（Ｈ１×４）、ボルト取付孔Ｈ２が取付径Ｒ２に沿って均等なピッチで４個設けられ（Ｈ２×４）、ボルト取付孔Ｈ３が取付径Ｒ３に沿って均等なピッチで４個設けられ（Ｈ３×４）、そして、ボルト取付孔Ｈ４が取付径Ｒ４に沿って均等なピッチで４個設けられている（Ｈ４×４）。
【００２３】
第２フランジ１２の面上には、柱状本体１０の中心軸Ｏを通る複数種類のがいしの取付径Ｒ２〜Ｒ５に対応して、所定数（４個）のボルト取付孔のセットが４セット設けられている。すなわち、ボルト取付孔Ｈ２が取付径Ｒ２に沿って均等なピッチで４個設けられ（Ｈ２×４）、ボルト取付孔Ｈ３が取付径Ｒ３に沿って均等なピッチで４個設けられ（Ｈ３×４）、ボルト取付孔Ｈ４が取付径Ｒ４に沿って均等なピッチで４個設けられ（Ｈ４×４）、そして、ボルト取付孔Ｈ５が取付径Ｒ５に沿って均等なピッチで４個設けられている（Ｈ５×４）。
【００２４】
なお、第１フランジ１１の面上における、４個のボルト取付孔のセット（Ｈ１×４、Ｈ２×４、Ｈ３×４、Ｈ４×４）に関し、それぞれのボルト取付孔Ｈ１〜Ｈ４は、互いにがいしの取付径Ｒ１〜Ｒ４の動径方向に隣り合うことのないように配置されている。この配置構成は、複数種類のボルト取付孔のセットを設けたとしてもアダプタの強度が保たれるように工夫されている。
【００２５】
第１フランジ１１の面上において、複数種類のボルト取付孔のセットそれぞれは、接続を可能とする任意の一つのがいしに対応するすべてのボルト取付孔を必ずしも備えていなくてもよい。接続を可能とする任意の一つのがいしに対応するすべてのボルト取付孔から、最低限、取付けのバランスが取れる数（ここでは４個）のボルト取付孔が選択的に抽出される態様であってよい。これにより、アダプタの強度を損なうことなく、より多様な種類のボルト取付孔のセットが準備できる。ボルト取付孔を４個で１セットとすることは、取付け作業や取り外し作業の効率向上に寄与する。
【００２６】
より具体的には、第１フランジ１１の面上における４個のボルト取付孔のセット（Ｈ１×４、Ｈ２×４、Ｈ３×４、Ｈ４×４）は、それぞれ柱状本体１０の中心軸Ｏを中心とした任意の回転角度でシフトし、位置決めされている。例えば、ボルト取付孔のセットＨ２×４が基準位置として位置決めされると、他のボルト取付孔のセットＨ４×４、Ｈ１×４、Ｈ３×４が順次回転角度θ１、θ２、θ３だけ移動した位置に配置される。アダプタの強度が保たれるような構成であれば、回転角度θ１、θ２、θ３それぞれは同じ値を含んでいてもよいし、互いに異なっていてもよい。
【００２７】
また、同様に、第２フランジ１２の面上における、４個のボルト取付孔のセット（Ｈ２×４、Ｈ３×４、Ｈ４×４、Ｈ５×４）に関し、それぞれのボルト取付孔Ｈ２〜Ｈ５は、互いにがいしの取付径Ｒ２〜Ｒ５の動径方向に隣り合うことのないように配置されている。この配置構成は、複数種類のボルト取付孔のセットを設けたとしてもアダプタの強度が保たれるように工夫されている。
【００２８】
第２フランジ１２の面上においても、複数種類のボルト取付孔のセットそれぞれは、接続を可能とする任意の一つのがいしに対応するすべてのボルト取付孔を必ずしも備えていなくてもよい。接続を可能とする任意の一つのがいしに対応するすべてのボルト取付孔から、最低限、取付けのバランスが取れる数（ここでは４個）のボルト取付孔が選択的に抽出される態様であってよい。これにより、アダプタの強度を損なうことなく、より多様な種類のボルト取付孔のセットが準備できる。ボルト取付孔を４個で１セットとすることは、取付け作業や取り外し作業の効率向上に寄与する。
【００２９】
より具体的には、第２フランジ１２の面上における４個のボルト取付孔のセット（Ｈ２×４、Ｈ３×４、Ｈ４×４、Ｈ５×４）は、それぞれ柱状本体１０の中心軸Ｏを中心とした任意の回転角度でシフトし、位置決めされている。例えば、ボルト取付孔のセットＨ２×４が基準位置として位置決めされると、他のボルト取付孔のセットＨ４×４、Ｈ５×４、Ｈ３×４が順次回転角度θ４、θ５、θ６だけ移動した位置に配置される。アダプタの強度が保たれるような構成であれば、回転角度θ４、θ５、θ６それぞれは同じ値を含んでもいてもよいし、互いに異なっていてもよい。
【００３０】
ここで、図２を参照すると、上記アダプタ１００において、取付径Ｒ１に対応する４個のボルト取付孔のセット（Ｈ１×４）は、例えば、異径形のＳＰがいし（ステーション・ポストがいし）Ａの上側端部の取付径１５５ｍｍに対応し、８個の取付孔のうちの４個を抽出したものであり、その孔径は、１３．８ｍｍである。
【００３１】
また、取付径Ｒ２に対応する４個のボルト取付孔のセット（Ｈ２×４）は、例えば、長幹支持がいしの上下両端部の取付径１５５ｍｍに対応し、８個の取付孔のうちの４個を抽出したものであり、その孔径は、１８．５ｍｍである。
【００３２】
また、取付径Ｒ３に対応する４個のボルト取付孔のセット（Ｈ３×４）は、例えば、異径形のＳＰがいしＡの下側端部及び異径形のＳＰがいしＢの上側端部の取付径１７０ｍｍに対応し、８個の取付孔のうちの４個を抽出したものであり、その孔径は、１３．８ｍｍである。
【００３３】
また、取付径Ｒ４に対応する４個のボルト取付孔のセット（Ｈ４×４）は、例えば、異径形のＳＰがいしＢの下側端部及び異径形のＳＰがいしＣの上側端部の取付径１９０ｍｍに対応し、８個の取付孔のうちの４個を抽出したものであり、その孔径は、１３．８ｍｍである。
【００３４】
また、取付径Ｒ５に対応する４個のボルト取付孔のセット（Ｈ５×４）は、例えば、異径形のＳＰがいしＣの下側端部の取付径２１０ｍｍに対応し、８個の取付孔のうちの４個を抽出したものであり、その孔径は、１３．８ｍｍである。
【００３５】
なお、上記それぞれの取付径Ｒ１〜Ｒ５及びボルト取付孔のセットに適合可能ながいしがあれば、上記示した長幹支持がいし、異径形のＳＰがいしに限らず、接続し得る。例えば、同径形のＳＰがいし（各々取付径１７０ｍｍ、１９０ｍｍ、２１０ｍｍで、いずれも取付孔の孔径１３．８ｍｍ）についても接続可能なものに含まれる。
【００３６】
上記構成によれば、第１フランジ１１の面上のボルト取付孔のセット（Ｈ１×４、Ｈ２×４、Ｈ３×４、Ｈ４×４）それぞれは、少なくとも第１のがいしの端部と接続可能なピッチと孔径を有し、第２フランジ１２の面上のボルト取付孔のセット（Ｈ２×４、Ｈ３×４、Ｈ４×４、Ｈ５×４）それぞれのボルト取付孔は、少なくとも第１のがいしとは異なる第２のがいしの端部と接続可能なピッチと孔径を有することになる。従って、交換すべきがいしが交換前のがいしと必ずしも同じ形式でなくても取替え可能な、がいし用アダプタを提供することができる。これにより、大地震等の大規模災害の影響により、破損するがいしが多くなり、交換すべきがいしの在庫が不足しても、代替可能となるがいしの種類が増やせる。
【００３７】
図３は、本発明の一実施形態によるがいし用アダプタの取付け例を示す概観図である。がいし３１と３２は、少なくとも取付径が異なり、アダプタ１００を介してボルト３３、ナット３４による取付け構造により連結されている。
【００３８】
例えば、長幹がいし（又はＳＰがいし）が、下向き支持構造のジャンパ支持装置として連結される構成の場合、本来、がいし（３１）に対し、その取付径が適合している同径形のがいし、あるいは、その取付径が適合している異径形のがいし（下方側が先細のがいし）が連結されるところ、アダプタ１００を介して取付径の異なるがいし（３２）が連結可能となる。災害時の影響等で緊急に、連結下方側のがいしを交換しなければならず、交換前と同じ形式のがいしが調達できないような場合でも、交換前とは取付径の異なる、かつ絶縁性能に問題のないがいし（３２）がアダプタ１００により容易に連結できる。
【００３９】
また、例えば、長幹がいし（又はＳＰがいし）が、架空送電線間の距離を一定に保持するための相間スペーサとして連結される構成の場合、本来、がいし（３１）に対し、その取付径が適合している同径形のがいしが連結されるところ、アダプタ１００を介して取付径の異なるがいし（３２）が連結可能となる。災害時の影響等で緊急に、連結しているがいしを交換しなければならず、交換前と同じ形式のがいしが調達できないような場合でも、交換前とは取付径の異なる、かつ絶縁性能に問題のないがいし（３２）がアダプタ１００により容易に連結できる。
【００４０】
あるいは、図示しないが例えば、長幹がいし（又はＳＰがいし）が、上向き支持構造のジャンパ支持装置として連結される構成の場合、本来、その取付径が適合している同径形のがいし、あるいは、その取付径が適合している異径形のがいし（上方側が先細のがいし）が連結されるところ、アダプタ１００を介して取付径の異なるがいしを連結可能とする。災害時の影響等で緊急に、連結上方側のがいしを交換しなければならず、交換前と同じ形式のがいしが調達できないような場合でも、交換前とは取付径の異なる、かつ絶縁性能に問題のないがいしがアダプタ１００により容易に連結できる。
【００４１】
図４は、本発明の一実施形態によるがいし用アダプタの取付け例を示す概観図である。鉄塔等の腕金等の支持部材４１と、本来接続される取付径とは異なる取付径のがいし４２が、アダプタ１００を介してボルト４３、ナット４４による取付け構造により固定されている。
【００４２】
例えば、長幹がいし（又はＳＰがいし）が、下向き支持構造のジャンパ支持装置として使用される構成の場合、本来、鉄塔等の支持部材（４１）に設けられている取付径に適合する取付径を有するがいしが用いられるところ、アダプタ１００を介して、支持部材（４１）に設けられている取付径とは異なる取付径のがいし（４２）が取付け可能である。災害時の影響等で緊急に、鉄塔の支持部材に取付けてあったがいしを交換しなければならず、交換前と同じ形式のがいしが調達できないような場合でも、交換前とは取付径の異なる、かつ絶縁性能に問題のないがいし（４２）がアダプタ１００により容易に取付け可能となる。
【００４３】
また、図示しないが例えば、長幹がいし（又はＳＰがいし）が、上向き支持構造のジャンパ支持装置として使用される構成の場合、本来、鉄塔等の支持部材に設けられている取付径に適合する取付径を有するがいしが接続されるところ、アダプタ１００を介して、支持部材に設けられている取付径とは異なる取付径のがいしを取付け可能とする。災害時の影響で緊急に、支持部材に取付けてあったがいしを交換しなければならず、交換前と同じ形式のがいしが調達できないような場合、絶縁性能に問題のない、交換前とは取付径の異なるがいしがアダプタ１００により容易に取付け可能となる。
【００４４】
なお、上記構成のがいし用アダプタ１００に関し、第１フランジ１１及び第２フランジ１２それぞれにおける柱状本体１０から周縁部までの距離Ｄ１は、柱状本体の一端と他端の間の距離Ｄ２よりも大きい。この特徴は、アダプタ１００が適当な強度を得易い金属からなるので、材料コストや軽量化の観点から望ましく、また、取付けの際、最小限の占有領域で済むようにするために好ましい。ただし、距離Ｄ２は、最低でも、ボルト、ナットの締付けの作業性を損なわないような距離が確保されている。
【００４５】
また、上記構成のがいし用アダプタ１００において、柱状本体１０は円筒形状、第１、第２フランジ１１，１２の周縁は円形状としたが、これに限らず、別の形状で構成されてもよい。例えば、柱状本体１０は、三角柱、四角柱、それ以上の多角柱の形状、楕円注、あるいは、第１、第２フランジ１１，１２の周縁は三角形、四角形、それ以上の多角形の形状、楕円形状で構成されるなどである。
【００４６】
また、上記構成のがいし用アダプタ１００において、それぞれのボルト取付孔（Ｈ１〜Ｈ５）は、ねじが切ってある取付孔の他、ネジが切られていない取付孔を有していてもよい。また、取付け用のボルト・ナットの固定（例えば図３、図４参照）に関しては、ナットの回り又は緩みを止める回り止め部材又は緩み止め部材により緩み防止がされていることが望ましい。さらには、ナットとして、もどり止めナット又はロックナットを利用すれば、より安定した固定が実現される。
【００４７】
以上説明したように、上記構成のがいし用アダプタによれば、がいしと連結されている、又はがいし以外の支持部材に取付けられている交換すべきがいしが、交換前のがいしと同じ形式でなくても容易に取替え可能な、がいし用アダプタを提供することができる。これにより、大地震等の大規模災害時に多くのがいしが破損した場合、がいしの在庫が不足しても、代替可能となるがいしの種類が増やせる。一時的な復旧対策としてではあるが、送電線路の早期の復旧に貢献することができる。
【符号の説明】
【００４８】
１００  がいし用アダプタ
１０  柱状本体
１１  第１フランジ
１２  第２フランジ
Ｈ１，Ｈ２，Ｈ３，Ｈ４，Ｈ５  ボルト取付孔
３１，３２，４２  がいし
３３，４３  ボルト
３４，４４  ナット
４１  支持部材（腕金）
【図１】
2014108019.tif 000003
【図２】
2014108019.tif 000004
【図３】
2014108019.tif 000005
【図４】
2014108019.tif 000006